(57)【要約】【課題】通信ネットワークで複数の外部処理装置に電子データを選択的に送信する機能のプログラム容量などを削減することができる構造のデータ処理装置を提供する。【解決手段】作業者により複数のＭＦＰ２００の一つに電子データを所定処理させることが入力操作されると、そのＭＦＰ２００に対応した複数のデータ変換部１１０の一つにより、電子データが所定形式に変換されて対応するネットワークアドレスが付与される。その電子データはデータ保持部１４０により保持され、付与されているネットワークアドレスでデータ送信部１５０により通信ネットワーク２１０から対応するＭＦＰ２００に送信される。データ保持部１４０とデータ送信部１５０とは、従来とは相違してＭＦＰ２００の個数に関係なく一つだけ実装されていればよい。【選択図】図１
2008160643.tif 000002
【特許請求の範囲】
【請求項１】
ネットワークアドレスが個々に設定されていて電子データに所定処理を各々実行する複数の外部処理装置と通信ネットワークで接続されるデータ処理装置であって、
複数の前記外部処理装置ごとに形成されていて前記所定処理に対応した所定形式に前記電子データを各々変換して対応する前記ネットワークアドレスとともに出力する複数のデータ変換部と、
複数の前記外部処理装置の一つに前記電子データを所定処理させることが入力操作される装置選択部と、
入力操作に対応して複数の前記データ変換部の一つを選択的に動作させる動作制御部と、
複数の前記データ変換部が出力する前記電子データが共通に入力される一個のデータ保持部と、
入力された前記電子データを付与されている前記ネットワークアドレスに対応して複数の前記外部処理装置の一つに前記通信ネットワークから送信するデータ送信部と、
を有するデータ処理装置。
【請求項２】
前記データ送信部は、定期的に前記データ保持部を監視して前記電子データが入力されていると付与されている前記ネットワークアドレスに対応して送信する請求項１に記載のデータ処理装置。
【請求項３】
前記データ送信部が前記データ保持部を監視する時間間隔を入力操作に対応して可変自在に設定する間隔設定部を、さらに有する請求項２に記載のデータ処理装置。
【請求項４】
ネットワークアドレスが個々に設定されていて電子データに所定処理を各々実行する複数の外部処理装置と、
複数の前記外部処理装置が接続されている通信ネットワークと、
前記通信ネットワークに接続されている請求項１ないし３の何れか一項に記載のデータ処理装置と、
を有するデータ処理システム。
【請求項５】
請求項１に記載のデータ処理装置のためのコンピュータプログラムであって、
複数の前記外部処理装置ごとに形成されていて前記所定処理に対応した所定形式に前記電子データを各々変換して対応する前記ネットワークアドレスとともに出力する複数のデータ変換部と、
複数の前記外部処理装置の一つに前記電子データを所定処理させることが入力操作される装置選択部と、
入力操作に対応して複数の前記データ変換部の一つを選択的に動作させる動作制御部と、
複数の前記データ変換部が出力する前記電子データが共通に入力される一個のデータ保持部と、
入力された前記電子データを付与されている前記ネットワークアドレスに対応して複数の前記外部処理装置の一つに前記通信ネットワークから送信するデータ送信部と、
を前記データ処理装置に実現するためのコンピュータプログラム。
【請求項６】
請求項１に記載のデータ処理装置のためのコンピュータプログラムであって、
複数の前記外部処理装置ごとに形成されていて前記所定処理に対応した所定形式に前記電子データを各々変換して対応する前記ネットワークアドレスとともに出力する複数のデータ変換部と、
複数の前記外部処理装置の一つに前記電子データを所定処理させることが入力操作される装置選択部と、
入力操作に対応して複数の前記データ変換部の一つを選択的に動作させる動作制御部と、
を前記データ処理装置に実現するためのコンピュータプログラム。
【請求項７】
請求項１に記載のデータ処理装置のためのコンピュータプログラムであって、
複数の前記データ変換部が出力する前記電子データが共通に入力される一個のデータ保持部と、
入力された前記電子データを付与されている前記ネットワークアドレスに対応して複数の前記外部処理装置の一つに前記通信ネットワークから送信するデータ送信部と、
を前記データ処理装置に実現するためのコンピュータプログラム。
【発明の詳細な説明】
【技術分野】
【０００１】
本発明は、外部処理装置に電子データを所定処理させるデータ処理装置に関し、特に、ネットワークアドレスが個々に設定されている複数の外部処理装置と通信ネットワークで接続されるデータ処理装置に関する。
【背景技術】
【０００２】
現在、いわゆるコンピュータ装置にコンピュータプログラムをインストールすることにより、データ処理装置として各種の機能を実装することが実施されている。例えば、データ処理装置にプリンタ装置が接続されるときは、そのプリンタ装置に対応したコンピュータプログラムがインストールされることにより、プリンタドライバと呼称されるデータ変換部が論理的に実装される。
【０００３】
同様に、データ処理装置にファクシミリ装置が接続されるときは、そのファクシミリ装置に対応したコンピュータプログラムがインストールされることにより、ファクシミリドライバと呼称されるデータ変換部が論理的に実装される。
【０００４】
プリンタドライバは、電子データをプリンタ装置で印刷出力される印刷データに変換する。ファクシミリドライバは、電子データをファクシミリ装置でファクシミリ送信されるファクシミリデータに変換する。
【０００５】
上述のように印刷データやファクシミリデータに変換された電子データは、対応するプリンタ装置やファクシミリ装置までデータ処理装置から通信ネットワークにより送信される。
【０００６】
この送信を実現するため、通信ネットワークに接続されているプリンタ装置やファクシミリ装置には、ネットワークアドレスが個々に設定されている。そして、このネットワークアドレスにより電子データを適切に送信するため、データ処理装置には、プリンタ装置などの外部処理装置ごとにポートモニタが実装される。
【０００７】
このポートモニタは、やはりコンピュータプログラムによりデータ処理装置に論理的に実装されており、対応するプリンタ装置やファクシミリ装置のネットワークアドレスを個々に保持している。
【０００８】
このため、一個のデータ処理装置に通信ネットワークで複数の外部処理装置が接続されている場合、作業者がデータ処理装置で複数の外部処理装置の一つを選択して電子データを所定処理させることを入力操作すると、プリンタドライバなどの複数のデータ変換部から対応する一つが選択されて電子データが変換される。
【０００９】
この変換された電子データは、やはり複数のポートモニタの対応する一つに入力される。そのポートモニタは、保持しているネットワークアドレスで対応する外部処理装置に通信ネットワークから電子データを送信する。
【００１０】
現在、上述のようなデータ処理装置として各種の提案がある(例えば、特許文献１，２参照)。
【特許文献１】特開２００２−０９１８４８号公報
【特許文献２】特開２００２−１２５０８６号公報
【発明の開示】
【発明が解決しようとする課題】
【００１１】
従来のデータ処理装置は、上述のように通信ネットワークで複数の外部処理装置を接続した場合でも、複数のデータ変換部と複数のポートモニタとで電子データを適切に送信することができる。しかし、換言すると、通信ネットワークから複数の外部処理装置に電子データを適切に送信するためには、複数のポートモニタを実装する必要がある。
【００１２】
コンピュータ装置は、複数のコンピュータプログラムがインストールされると、コンピュータ装置のＨＤＤ(Hard Disc Drive)等の記憶エリアが多量に占有される。このため、記憶エリアが不足している場合は、必要な機能を実装できないことになる。
【００１３】
また、一般的にコンピュータプログラムは実行されるときにはインストールされているＨＤＤからＲＡＭ(Random Access Memory)等のワークメモリに複写される。このため、複数のコンピュータプログラムが並列に起動されるとワークメモリの記憶エリアが多量に占有される。この場合、コンピュータ装置の動作が不安定となることがある。
【００１４】
しかも、上述のように従来は外部処理装置ごとに専用のポートモニタが必要とされている。このため、製造メーカは、新型の外部処理装置を開発して提供するごとに、新型のポートモニタも開発して提供する必要がある。
【００１５】
本発明は上述のような課題に鑑みてなされたものであり、通信ネットワークで複数の外部処理装置に電子データを選択的に送信する機能のプログラム容量などを削減することができる構造のデータ処理装置、そのコンピュータプログラム、を提供するものである。
【課題を解決するための手段】
【００１６】
本発明のデータ処理装置は、ネットワークアドレスが個々に設定されていて電子データに所定処理を各々実行する複数の外部処理装置と通信ネットワークで接続されるデータ処理装置であって、複数の外部処理装置ごとに形成されていて所定処理に対応した所定形式に電子データを各々変換して対応するネットワークアドレスとともに出力する複数のデータ変換部と、複数の外部処理装置の一つに電子データを所定処理させることが入力操作される装置選択部と、入力操作に対応して複数のデータ変換部の一つを選択的に動作させる動作制御部と、複数のデータ変換部が出力する電子データが共通に入力される一個のデータ保持部と、入力された電子データを付与されているネットワークアドレスに対応して複数の外部処理装置の一つに通信ネットワークから送信するデータ送信部と、を有する。
【００１７】
従って、本発明のデータ処理装置では、作業者により複数の外部処理装置の一つに電子データを所定処理させることが入力操作されると、その外部処理装置に対応した複数のデータ変換部の一つにより、電子データが所定形式に変換されて対応するネットワークアドレスが付与される。その電子データはデータ保持部により保持され、付与されているネットワークアドレスでデータ送信部により通信ネットワークから対応する外部処理装置に送信される。データ変換部は、従来と同様に外部処理装置に対応した個数が実装されている。しかし、データ保持部とデータ送信部とは、従来とは相違して外部処理装置の個数に関係なく一つだけ実装されている。
【００１８】
本発明のデータ処理システムは、ネットワークアドレスが個々に設定されていて電子データに所定処理を各々実行する複数の外部処理装置と、複数の外部処理装置が接続されている通信ネットワークと、通信ネットワークに接続されている請求項１ないし３の何れか一項に記載のデータ処理装置と、を有する。
【００１９】
本発明の第一のコンピュータプログラムは、本発明のデータ処理装置のためのコンピュータプログラムであって、複数の外部処理装置ごとに形成されていて所定処理に対応した所定形式に電子データを各々変換して対応するネットワークアドレスとともに出力する複数のデータ変換部と、複数の外部処理装置の一つに電子データを所定処理させることが入力操作される装置選択部と、入力操作に対応して複数のデータ変換部の一つを選択的に動作させる動作制御部と、複数のデータ変換部が出力する電子データが共通に入力される一個のデータ保持部と、入力された電子データを付与されているネットワークアドレスに対応して複数の外部処理装置の一つに通信ネットワークから送信するデータ送信部と、をデータ処理装置に論理的に実装する。
【００２０】
本発明の第二のコンピュータプログラムは、本発明のデータ処理装置のためのコンピュータプログラムであって、複数の外部処理装置ごとに形成されていて所定処理に対応した所定形式に電子データを各々変換して対応するネットワークアドレスとともに出力する複数のデータ変換部と、複数の外部処理装置の一つに電子データを所定処理させることが入力操作される装置選択部と、入力操作に対応して複数のデータ変換部の一つを選択的に動作させる動作制御部と、をデータ処理装置に論理的に実装する。
【００２１】
本発明の第三のコンピュータプログラムは、本発明のデータ処理装置のためのコンピュータプログラムであって、複数のデータ変換部が出力する電子データが共通に入力される一個のデータ保持部と、入力された電子データを付与されているネットワークアドレスに対応して複数の外部処理装置の一つに通信ネットワークから送信するデータ送信部と、をデータ処理装置に論理的に実装する。
【００２２】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【発明の効果】
【００２３】
本発明のデータ処理装置では、データ変換部は、従来と同様に外部処理装置に対応した個数を実装する必要がある。しかし、データ保持部とデータ送信部とは、従来とは相違して外部処理装置の個数に関係なく一つだけ実装されていればよい。このため、データ保持部とデータ送信部とがコンピュータプログラムにより実装される場合でも、そのコンピュータプログラムを一つとすることができ、そのプログラム容量を削減することができる。しかも、一つのデータ保持部とデータ送信部とで各種の外部処理装置に対応できるので、外部処理装置ごとに専用のポートモニタが必要となることがない。このため、製造メーカは、新型の外部処理装置を開発して提供するごとに、新型のポートモニタも開発して提供する必要がなくなり、そのコストを大幅に削減することができる。
【発明を実施するための最良の形態】
【００２４】
本発明の実施の一形態を図面を参照して以下に説明する。本実施の形態のデータ処理システム１０００は、図１に示すように、ネットワークアドレスが個々に設定されていて電子データに所定処理を各々実行する複数の外部処理装置であるＭＦＰ(Multi Function Peripherals)２００と、複数のＭＦＰ２００が接続されている通信ネットワーク２１０と、通信ネットワーク２１０に接続されているデータ処理装置１００と、を有する。
【００２５】
このデータ処理装置１００は、複数のＭＦＰ２００ごとに形成されていて所定処理に対応した所定形式に電子データを各々変換して対応するネットワークアドレスとともに出力する複数のデータ変換部１１０と、複数のＭＦＰ２００の一つに電子データを所定処理させることが入力操作される装置選択部１２０と、入力操作に対応して複数のデータ変換部１１０の一つを選択的に動作させる動作制御部１３０と、複数のデータ変換部１１０が出力する電子データが共通に入力される一個のデータ保持部１４０と、入力された電子データを付与されているネットワークアドレスに対応して複数のＭＦＰ２００の一つに通信ネットワーク２１０から送信するデータ送信部１５０と、を有する。
【００２６】
さらに、このデータ送信部１５０は、定期的にデータ保持部１４０を監視して電子データが入力されていると付与されているネットワークアドレスに対応して送信する。このため、データ処理装置１００は、データ送信部１５０がデータ保持部１４０を監視する時間間隔を入力操作に対応して可変自在に設定する間隔設定部１６０も有する。
【００２７】
より具体的には、データ処理装置１００は、いわゆるコンピュータ装置からなり、ＣＰＵ(Central Processing Unit)やＲＯＭ(Read Only Memory)やＲＡＭ(Random Access Memory)等からなるコンピュータユニット(図示せず)、ＨＤＤ(Hard Disc Drive)等の記憶デバイス、ＬＣＤ(Liquid Crystal Display)等の表示デバイス、キーボード等の入力デバイス、ＬＡＮ(Local Area Network)等でＭＦＰ２００などとデータ通信する通信Ｉ／Ｆ(Interface)、等をハードウェアとして有する(図示せず)。
【００２８】
データ処理装置１００は、各種のコンピュータプログラムがインストールされている。このインストールされているコンピュータプログラムに対応して各種の処理動作を実行することにより、上述のような各部が各種機能として論理的に実装されている。
【００２９】
例えば、装置選択部１２０および間隔設定部１６０は、コンピュータユニットがコンピュータプログラムに対応して入力デバイスの入力データを認識する機能などに相当する。
【００３０】
データ送信部１５０は、コンピュータユニットがコンピュータプログラムに対応して出力デバイスにデータ出力を実行させる機能などに相当する。データ保持部１４０は、コンピュータプログラムに対応してコンピュータユニットが認識するように記憶デバイスに構築された記憶エリアなどに相当する。
【００３１】
データ変換部１１０と動作制御部１３０とは、コンピュータユニットがコンピュータプログラムに対応して各種のデータ処理を実行する機能などに相当する。なお、データ変換部１１０は、ＭＦＰ２００ごとに実装される、いわゆるプリンタドライバなどに相当する。
【００３２】
ただし、そのデータ変換部１１０は、対応するＭＦＰ２００のネットワークアドレスを個々に保持している。なお、通信ネットワーク２１０は、ＩＰ(Internet Protocol)ネットワークなどからなり、ネットワークアドレスは、ＩＰアドレスなどからなる。
【００３３】
また、データ保持部１４０とデータ送信部１５０とは、従来の複数のポートモニタを一つに集約したものに相当する一つのエージェント部１７０として実装されている。ただし、このエージェント部１７０は、従来のポートモニタとは相違して、ＭＦＰ２００のネットワークアドレスを保持していない。
【００３４】
上述のようなデータ処理装置１００のためのコンピュータプログラムは、例えば、複数のＭＦＰ２００ごとに形成されていて所定処理に対応した所定形式に電子データを各々変換して対応するネットワークアドレスとともに出力する複数のデータ変換部１１０と、複数のＭＦＰ２００の一つに電子データを所定処理させることが入力操作される装置選択部１２０と、入力操作に対応して複数のデータ変換部１１０の一つを選択的に動作させる動作制御部１３０と、複数のデータ変換部１１０が出力する電子データが共通に入力される一個のデータ保持部１４０と、入力された電子データを付与されているネットワークアドレスに対応して複数のＭＦＰ２００の一つに通信ネットワーク２１０から送信するデータ送信部１５０と、をデータ処理装置１００に論理的に実装するように記述されている。
【００３５】
なお、データ処理装置１００に各部１１０〜１３０を実装するコンピュータプログラムは、例えば、複数のＭＦＰ２００ごとに一つずつ提供される、複数のアプリケーションプログラムからなる。
【００３６】
また、データ処理装置１００に各部１４０〜１７０を実装するコンピュータプログラムは、例えば、所定規格のシリーズ製品からなる複数のＭＦＰ２００で共用される、所定規格の一つのアプリケーションプログラムからなる。
【００３７】
上述のような構成において、本実施の形態のデータ処理装置１００の処理動作を以下に説明する。データ処理装置１００は、例えば、記憶デバイスに各種フォーマットの電子データが保存されている。
【００３８】
そこで、その電子データの印刷出力などを実行する場合、利用者は入力デバイスの入力操作などで所望の電子データを選択する。このような状態で、その電子データを利用者が印刷出力したい場合は、例えば、ショートカット操作やアイコン操作などで印刷出力を入力操作する(図示せず)。
【００３９】
ただし、本実施の形態のデータ処理システム１０００では、データ処理装置１００に複数のＭＦＰ２００が通信ネットワーク２１０で接続されている。このようにデータ処理装置１００に複数のＭＦＰ２００を通信ネットワーク２１０で接続するとき、そのＭＦＰ２００ごとにドライバプログラムがデータ処理装置１００にインストールされてデータ変換部１１０が実装される。
【００４０】
さらに、その複数のデータ変換部１１０の各々に、対応するＭＦＰ２００のネットワークアドレスが個々に設定される。なお、上述のようにＭＦＰ２００ごとに実装された複数のデータ変換部１１０の一つがデフォルトとして設定される。
【００４１】
上述のような状態で、利用者が複数のＭＦＰ２００の一つで電子データの印刷出力やファクシミリ送信などの所定処理を実行したい場合、その電子データが選択された状態で所定処理の実行指示が入力デバイスなどによりデータ処理装置１００に入力操作される。
【００４２】
すると、図２に示すように、これを検知したデータ処理装置１００では(ステップＳ１)、デフォルトの一つのデータ変換部１１０が起動され(ステップＳ２)、例えば、印刷出力やファクシミリ送信などの設定画面(図示せず)が表示デバイスに表示出力される。
【００４３】
このとき、例えば、複数のＭＦＰ２００の一覧も表示される。このため、利用者は所望により電子データを所定処理させるＭＦＰ２００を選択することもできる(ステップＳ３，Ｓ４)。
【００４４】
このようにＭＦＰ２００が選定されると、それに対応したデータ変換部１１０が起動される。このように利用者が所望するＭＦＰ２００が選定された状態で、処理実行が入力操作される(ステップＳ５)。
【００４５】
すると、その選定されているデータ変換部１１０で電子データが印刷データやファクシミリデータに変換される(ステップＳ６)。さらに、そのデータ変換部１１０に保持されているネットワークアドレスが変換された電子データに付与される(ステップＳ７)。そして、この変換されてネットワークアドレスが付与された電子データがエージェント部１７０のデータ保持部１４０に出力される(ステップＳ８)。
【００４６】
このエージェント部１７０は、データ処理装置１００の始動とともに起動されて常駐している。そして、図３に示すように、設定されている監視時間の経過をデータ送信部１５０により常時判定している(ステップＴ１，Ｔ２)。
【００４７】
監視時間が経過するとデータ保持部１４０に電子データが入力されているかが確認される(ステップＴ３，Ｔ４)。そこで、電子データが入力されていないと、積算時間がリセットされる(ステップＴ８)。
【００４８】
一方、入力されていると、その電子データが取得され(ステップＴ５)、付与されているアドレスデータが検出される(ステップＴ６)。そして、そのアドレスデータで電子データが対応するＭＦＰ２００に通信ネットワーク２１０から送信される(ステップＴ７)。
【００４９】
そこで、この電子データを受信したＭＦＰ２００では、その印刷データやファクシミリデータからなる電子データに印刷出力やファクシミリ送信などの所定処理が実行される。
【００５０】
なお、本実施の形態のデータ処理装置１００では、利用者の所定操作によりエージェント部１７０の設定画面(図示せず)が表示出力され、データ送信部１５０がデータ保持部１４０を監視する時間間隔が設定される。
【００５１】
本実施の形態のデータ処理システム１０００のデータ処理装置１００では、上述のように作業者により複数のＭＦＰ２００の一つに電子データを所定処理させることが入力操作されると、そのＭＦＰ２００に対応した複数のデータ変換部１１０の一つにより、電子データが所定形式に変換されて対応するネットワークアドレスが付与される。
【００５２】
その電子データはデータ保持部１４０により保持され、付与されているネットワークアドレスでデータ送信部１５０により通信ネットワーク２１０から対応するＭＦＰ２００に送信される。
【００５３】
そして、データ変換部１１０は、従来と同様にＭＦＰ２００に対応した個数が実装されている。しかし、データ保持部１４０とデータ送信部１５０とは、従来とは相違してＭＦＰ２００の個数に関係なく一つだけ実装されている。
【００５４】
このため、データ変換部１１０を実装するコンピュータプログラムは、ＭＦＰ２００に対応した複数が必要であるが、データ保持部１４０とデータ送信部１５０とを実装するコンピュータプログラムは、複数のＭＦＰ２００で共用される一つとすることができるので、そのプログラム容量を削減することができる。
【００５５】
しかも、上述のようにデータ変換部１１０等を実装するコンピュータプログラムと、エージェント部１７０等を実装するコンピュータプログラムとが、別個に形成されている。
【００５６】
このため、ＭＦＰ２００を新規に増設するようなときでも、データ変換部１１０を実装するコンピュータプログラムのみ新規にインストールすればよい。特に、ＭＦＰ２００のネットワークアドレスはデータ変換部１１０に保持されるので、ＭＦＰ２００を新規に増設するようなときでも、エージェント部１７０の設定を変更するような必要がない。
【００５７】
複数のデータ変換部１１０による一つのデータ保持部１４０への電子データの入力が、データ送信部１５０により所定の時間間隔ごとに監視される。このため、複数のデータ変換部１１０で共用される一つのデータ保持部１４０に任意のタイミングで電子データが入力されても、その電子データを適切なタイミングでＭＦＰ２００に送信することができる。
【００５８】
さらに、このデータ送信部１５０がデータ保持部１４０を監視する時間間隔を利用者が所望により設定することができる。このため、データ処理装置１００の処理能力やＭＦＰ２００での所定処理の要求速度などに対応して、利用者が所望の時間間隔を設定することができる。
【００５９】
しかも、一つのエージェント部１７０で各種の外部処理装置に対応できるので、製造メーカは、新型の外部処理装置を開発して提供するごとに、新型のポートモニタも開発して提供する必要がなくなり、その開発と提供のコストを大幅に削減することができる。
【００６０】
なお、本発明は本実施の形態に限定されるものではなく、その要旨を逸脱しない範囲で各種の変形を許容する。例えば、上記形態ではコンピュータ装置にソフトウェアが実装されることで、データ処理装置１００の各部が各種機能として論理的に実現されていることを例示した。
【００６１】
しかし、データ処理装置１００の各部が専用の論理回路などのハードウェアで形成されていてもよく、一部がハードウェアで形成されているとともに一部がソフトウェアで実現されていてもよい。
【図面の簡単な説明】
【００６２】
【図１】本発明の実施の形態のデータ処理システムの論理構造を示す模式的なブロック図である。
【図２】データ処理装置のデータ変換部などの処理動作を示すフローチャートである。
【図３】データ処理装置のエージェント部などの処理動作を示すフローチャートである。
【符号の説明】
【００６３】
１００    データ処理装置
１１０    データ変換部
１２０    装置選択部
１３０    動作制御部
１４０    データ保持部
１５０    データ送信部
１６０    間隔設定部
１７０    エージェント部
２００    ＭＦＰ
２１０    通信ネットワーク
１０００    データ処理システム
【図１】
2008160643.tif 000003
【図２】
2008160643.tif 000004
【図３】
2008160643.tif 000005